(57)【要約】【課題】  モジュール式インプラントを提供する。【解決手段】  モジュール式インプラントは、脛骨コンポーネント２０のような第１の整形外科コンポーネントと、第１の整形外科コンポーネントに結合される支承体３０のような第２の整形外科コンポーネントと、第１の整形外科コンポーネント及び第２の整形外科コンポーネントと係合する微細動制動器１３０，１４０，１５０又は１６０とを含む。【選択図】      図２
2005312951.tif 000002
【特許請求の範囲】
【請求項１】
第１の整形外科コンポーネントと、
該第１の整形外科コンポーネントに結合される第２の整形外科コンポーネントと、
該第１の整形外科コンポーネント及び該第２の整形外科コンポーネントと係合する微細動制動器と、
を備えるモジュール式インプラント。
【請求項２】
前記第１の整形外科コンポーネントは実質的に金属製であり、前記第２の整形外科コンポーネントは実質的に高分子材料製である、請求項１に記載のモジュール式インプラント。
【請求項３】
前記微細動制動器は、前記第１の整形外科コンポーネントと前記第２の整形外科コンポーネントとの間に介在させられる弾性コンポーネントを含む、請求項１に記載のモジュール式インプラント。
【請求項４】
前記弾性コンポーネントはコイルばねを含む、請求項３に記載のモジュール式インプラント。
【請求項５】
前記弾性コンポーネントは金属テープを含む、請求項３に記載のモジュール式インプラント。
【請求項６】
脛骨に移植される形態に構成された第１の部分と、脛骨トレイを形成する第２の部分とを含む脛骨コンポーネントと、
該脛骨コンポーネントに結合され、前記脛骨トレイ内に配置される支承体と、
該脛骨コンポーネントと該支承体との間に介在させられる弾性コンポーネントと、
を備える、大腿骨と脛骨との間に挿入するための人工膝関節。
【請求項７】
脛骨コンポーネントが実質的に金属製であり、前記支承体が実質的に高分子材料製である、請求項６に記載の人工膝関節。
【請求項８】
前記弾性コンポーネントがコイルばねを含む、請求項６に記載の人工膝関節。
【請求項９】
前記弾性コンポーネントは金属テープを含む、請求項６に記載の人工膝関節。
【請求項１０】
第１の身体部分と第２の身体部分との間に人工関節を形成するための装置であって、
人工関節を第１の身体部分に結合するための第１の手段と、
人工関節を第２の身体部分に結合するための第２の手段と、
前記第１の手段を前記第２の手段に関節式に接続するための手段と、
人工関節内の微細動を減衰させるための手段と、
を備える、人工関節を形成するための装置。
【発明の詳細な説明】
【技術分野】
【０００１】
本発明は、大別して整形外科分野に関し、より詳細にはモジュール式インプラントに関する。
【背景技術】
【０００２】
従来型の整形外科インプラント組立体の多くはモジュール式である。特に、モジュール化することで、任意の特定の患者に最も適した様々なコンポーネントを手術中に自由に組み合わせることを容易にさせている。
【発明の開示】
【発明が解決しようとする課題】
【０００３】
しかしながら、モジュール化設計の中には、組み立て後に互いをしっかりとロックした状態にすべきコンポーネントの間で望ましくない微量の運動（”微細動（マイクロモーション）”）を許してしまうものがある。このような微細動は望ましくない磨耗の発生源となり、時間の経過とともに、補綴装置の整列配置及び／又は安定性を低下させたり、インプラントの有効寿命を減少させたりすることがある。
【課題を解決するための手段】
【０００４】
本発明は、第１の整形外科コンポーネントと、該第１の整形外科コンポーネントに結合される第２の整形外科コンポーネントと、第１の整形外科コンポーネント及び第２の整形外科コンポーネントと係合する微細動制動器とを備えるモジュール式インプラントを提供する。
【０００５】
代替実施形態として、本発明は、大腿骨と脛骨との間に挿入するための人工膝関節を提供する。人工膝関節は脛骨コンポーネントを含む。脛骨コンポーネントは、脛骨に移植されるような形態に構成された第１の部分と、脛骨トレイを形成する第２の部分とを含む。人工膝関節は、さらに、脛骨コンポーネントに結合され且つ脛骨トレイ内に配置される支承体を含む。さらに、人工膝関節は、脛骨コンポーネントと支承体との間に介在させられる弾性コンポーネントを含む。
【０００６】
他の代替実施形態として、本発明は、第１の身体部分と第２の身体部分との間に人工関節を形成するための装置を提供する。この装置は、人工関節を第１の身体部分に結合するための第１の手段と、人工関節を第２の身体部分に結合するための第２の手段と、第１の手段を第２の手段に関節式に接続するための手段と、人工関節内の微細動を減衰させるための手段とを含む。
【０００７】
本発明の上述の特徴及び利点並びに他の特徴及び利点は、以下の詳細な説明及び添付図面を参照することにより当業者に容易に明らかとなる。
【発明を実施するための最良の形態】
【０００８】
図１は、本発明による例示のモジュール式人工膝関節組立体４０の側面図を示している。人工膝関節組立体４０は、大腿骨コンポーネント１０と、脛骨コンポーネント２０と、支承体３０とを含んでいる。大腿骨コンポーネント１０は、一部を切除された遠位大腿骨５０に取り付けられるように公知の形態に構成されており、金属材料又は鋳造コバルトクロムモリブデンのような合金若しくは他の適した材料から形成される。脛骨コンポーネント２０は、凹部を備えた脛骨トレイ６０（図２を参照）と、長尺のステム７０とを形成している。脛骨コンポーネント２０は、脛骨８０の髄管９０内へのステム７０の挿入により近位脛骨８０に取り付けられるように公知の形態に構成されており、金属材料又は鋳造コバルトクロムモリブデンのような合金若しくは他の適した材料から形成される。さらに、脛骨トレイ６０内には、ねじ山付きの円筒状凹部９４（図１には示されておらず、図２を参照されたい）が延びている。
【０００９】
支承体３０は、大腿骨コンポーネント１０と脛骨コンポーネント２０との間の関節動作（方向線１００を参照）を容易にするように（よって、大腿骨５０と脛骨８０との間の関節動作を容易にするように）公知の形態に構成されており、超高分子量ポリエチレン（”ＵＨＭＷＷＰＥ”）のような高分子材料又は他の適した任意の材料から形成される。平滑な周面の円筒状穴１１０（図１では示されていないが、図２を参照されたい）が支承体３０を通って延びている。さらに、支承体３０は、脛骨トレイ６０に面している概略平坦な底面すなわち遠位表面１２０（図１には示されていないが、図２を参照されたい）を含んでいる。人工膝関節組立体４０は、さらに、微細動制動器（マイクロモーションダンパ）１３０（図１には示されていない）と、微細動制動器１４０（図１には示されていない）と、微細動制動器１５０（図１には示されていない）と、微細動制動器１６０（図１には示されていない）と、図２に示されており以下でさらに説明するねじ部付きの保持ボルト１７０とを含んでいる。
【００１０】
図２は、脛骨コンポーネント２０、支承体３０、微細動制動器１３０、微細動制動器１４０、微細動制動器１５０、微細動制動器１６０及び保持ボルト１７０の組立分解斜視図を示している。図２に示されている例示の実施形態では、微細動制動器１３０、微細動制動器１４０、微細動制動器１５０及び微細動制動器１６０は、各々、ステンレス鋼製のコイルばねによって形成されており、脛骨トレイ６０上に周方向に離間して配置されている。代替実施形態として、微細動制動器１３０、微細動制動器１４０、微細動制動器１５０及び微細動制動器１６０を、各々、弓状に湾曲させた又は屈曲させた同等の金属ストリップ又は金属テープ、ゴム製円柱体、圧縮性ガス充填シリンダ、又は遠位表面１２０と脛骨トレイ６０との間の微細動を所望のように減衰させるのに適した任意のサイズ、形状及びばね係数且つ／又は脛骨トレイ６０上の配置を有した他の任意の弾性材料とすることができる。さらに、代替実施形態として、例示の微細動制動器１３０、微細動制動器１４０、微細動制動器１５０及び微細動制動器１６０を単一の又は他の任意の数の適宜のサイズ、形状、ばね係数及び／又は配置を有した微細動制動器によって置換してもよいことに留意されたい。
【００１１】
ステム７０、凹部９４、穴１１０、遠位表面１２０も図２に示されている。例示の実施形態では、ボルト１７０が（方向線／軸線に沿って）穴１１０を通って凹部９４まで延びており、支承体３０の遠位表面１２０を脛骨トレイ６０に引き込むようになっている。そのとき、微細動制動器１３０、微細動制動器１４０、微細動制動器１５０及び微細動制動器１６０は、遠位表面１２０と脛骨トレイ６０との間に挟持され、圧縮される。したがって、代替実施形態として、ボルト１７０、穴１１０、凹部９４を、動き嵌め、ロックキー配置、溝、アリ継ぎ、レール又は支承体３０を脛骨トレイ６０に保持するのに適した（支承体３０と脛骨コンポーネント２０との間の）他の任意の構造によって置換することも可能であることは理解できるであろう。
【００１２】
動作の際には、微細動制動器１３０は方向線２００に沿って遠位表面１２０に伸展力を作用させ、微細動制動器１４０は方向線２１０に沿って遠位表面１２０に伸展力を作用させ、微細動制動器１５０は方向線２２０に沿って遠位表面１２０に伸展力を作用させ、微細動制動器１６０は方向線２３０に沿って遠位表面１２０に伸展力を作用させる。これら伸展力は支承体３０と脛骨トレイ６０との間の緩みや遊びを低減させ、脛骨トレイ６０に対する遠位表面１２０の微細動（マイクロモーション）を減衰させる。
【００１３】
本発明の上述の記載は例示に過ぎず、示した字義通りに本発明の範囲を限定することを意図したものではない。さらに、特定の例示の実施形態を参照して本発明を詳細に説明したが、特許請求の範囲に記載、規定される本発明の範囲及び精神の範囲内で様々な変形及び改変が可能である。
【図面の簡単な説明】
【００１４】
【図１】本発明による例示のモジュール式人工膝関節組立体の側面図を示している。
【図２】図１の例示の人工膝関節組立体の脛骨コンポーネント、支承体、微細動制動器及び保持ボルトの組立分解斜視図を示している。
【符号の説明】
【００１５】
１０    大腿骨コンポーネント
２０    脛骨コンポーネント
３０    支承体
４０    モジュール式人工膝関節
５０    大腿骨
６０    脛骨トレイ
７０    ステム
８０    脛骨
１３０    微細動制動器
１４０    微細動制動器
１５０    微細動制動器
１６０    微細動制動器
【図１】
2005312951.tif 000003
【図２】
2005312951.tif 000004